(57)【要約】  【課題】ブロアーモータ側に熱の影響を与えることなく、熱源の消火とほぼ同時にブロアーモータの駆動を停止させることができる構造を得る。  【解決手段】燃焼器１１で発生する熱気を、ブロアーモータ１２から送風ダクト１３を通して燃焼器１１に送られる風に乗せてスクリードプレート１４へ熱風を送り、該スクリードプレート１４を加熱する構造において、燃焼器１１の点火・消火に連動して、ブロアーモータ１２と燃焼器１１との間のダクト内通路を開閉するシャッター１５を設けたスクリード加熱装置。【選択図】図１
2006183301.tif 000002
【特許請求の範囲】
【請求項１】
熱源で発生する熱気を、ブロアーモータから送風ダクトを通して該熱源に送られて来る風に乗せてスクリードプレートへ送り、該スクリードプレートを加熱するスクリード加熱装置において、
前記熱源の点火・消火に連動して、前記ブロアーモータと前記熱源との間のダクト内通路を開閉するシャッターを設けたことを特徴とするスクリード加熱装置。
【請求項２】
上記シャッターを、上記送風ダクトに組み込んだことを特徴とする請求項１記載のスクリード加熱装置。
【発明の詳細な説明】
【技術分野】
【０００１】
本発明はスクリード加熱装置に関するものであり、特に、アスファルトフィニッシャ等の道路舗設車両に用いられるスクリード加熱装置に関するものである。
【背景技術】
【０００２】
従来、アスファルトフィニッシャのスクリード加熱装置は、熱気を発生する燃焼器（熱源）にブロアーモータから風を送り、その風に熱気を乗せてスクリードプレートへ送り、該スクリードプレートを加熱するように構成されている（例えば、特許文献１参照）。
【０００３】
このようなスクリード加熱装置では、一定温度まで加熱後、燃焼器を一旦消火し、所定の温度まで下がると再び点火する方法がとられている。そして、一定温度まで加熱後、燃焼器が消火されても、スクリードプレートは高温まで加熱されているので、消火と同時にブロアーモータを停止させると、スクリードプレートの熱気が送風ダクトを通してブロアーモータまで入って来る。因みに、スクリードプレートに接触しているアスファルト混合物は、１３０℃〜１６０℃と高温である。このため、スクリードプレートの熱気がブロアーモータに入ると、その熱でブロアーモータが破損したり、寿命が短くなる虞がある。
【０００４】
そこで、従来のスクリード加熱装置では、バーナの消火後、ある一定時間、ブロアーモータを回転させて送風し、ブロアーモータに熱気が入って来るのを防いでいるのが現状である。
【特許文献１】特開２００２−３８４１１号公報。
【発明の開示】
【発明が解決しようとする課題】
【０００５】
上述したように、特許文献１記載の発明をも含めて、従来のスクリード加熱装置では、バーナの消火後、ある一定時間、ブロアーモータを回転させて送風し、ブロアーモータに熱気が入って来るのを防いでいる。しかし、この方法は、バーナを点火させずに送風だけを行うので、せつかく適温に加熱されているスクリードプレートを冷ましてしまうことになり、効率を悪くしている問題があった。
【０００６】
そこで、ブロアーモータ側に熱の影響を与えることなく、熱源の消火とほぼ同時にブロアーモータの駆動を停止させることができるスクリード加熱装置を提供するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、熱源で発生する熱気を、ブロアーモータから送風ダクトを通して該熱源に送られて来る風に乗せてスクリードプレートへ送り、該スクリードプレートを加熱するスクリード加熱装置において、前記熱源の点火・消火に連動して、前記ブロアーモータと前記熱源との間のダクト内通路を開閉するシャッターを設けたスクリード加熱装置を提供する。
【０００８】
この構成によれば、熱源が点火されると、シャッターが開いてブロアーモータと熱源との間のダクト内通路が開放される。これにより、ブロアーモータで起こされた風が送風ダクトを通して熱源へ送られ、該熱源で発生された熱が熱風となってスクリードプレートへ送られる。熱源が消火されると、シャッターが閉じらてブロアーモータと熱源との間のダクト内通路が閉じられ、スクリードプレート側の熱がブロアーモータ内に入って来るのを防ぐ。
【０００９】
請求項２記載の発明は、上記シャッターを、上記送風ダクトに組み込んだスクリード加熱装置を提供する。
【００１０】
この構成によれば、シャッター付の送風ダクトが得られる。
【発明の効果】
【００１１】
請求項１記載の発明は、熱源が消火されると、シャッターが閉じらてブロアーモータと熱源との間のダクト内通路を閉じるので、スクリードプレート側の熱がブロアーモータに入って来るのを防ぐことができる。これにより、消火後、直ぐにブロアーモータを停止させても、ブロアーモータの破損及び寿命の低下を防止することができる。また、消火後における送風を停止するので、送風によるスクリードプレートの温度低下が無くなり、熱効率の改善が図れる。さらに、シャッターの開閉が熱源の点火・消火に連動するので、操作も簡単になる。
【００１２】
請求項２記載の発明は、シャッターと送風ダクトを一体化した状態で扱うことができるから、スクリード加熱装置に対するシャッター及び送風ダクトの組み付けが簡単になる。
【発明を実施するための最良の形態】
【００１３】
以下、本発明に係るスクリード加熱装置について、好適な実施例をあげて説明する。ブロアーモータ側に熱の影響を与えることなく、熱源の消火とほぼ同時にブロアーモータの駆動を停止させることができる構造を得るという目的を達成するために、熱源で発生する熱気を、ブロアーモータから送風ダクトを通して該熱源に送られて来る風に乗せてスクリードプレートへ送り、該スクリードプレートを加熱するスクリード加熱装置において、前記熱源の点火・消火に連動して、前記ブロアーモータと前記熱源との間のダクト内通路を開閉するシャッターを設けたスクリード加熱装置を提供する。
【実施例１】
【００１４】
図１及び図２は本実施の形態によるスクリード加熱装置の概略構成を示すもので、図１は消火時における状態で示す図、図２は燃焼時の状態で示す図である。図１及び図２において、スクリード加熱装置１０は、熱源としての燃焼器１１と、ブロアーモータ１２、送風ダクト１３、スクリードプレート１４等で構成されている。
【００１５】
燃焼器１１は、供給されるガスＧを燃焼させて熱気を発生させる。ブロアーモータ１２で起こされた風は送風ダクト１３を通って燃焼器１１へ送られる。この風により、燃焼器１１内で発生した熱気をスクリードプレート１４側に流し、該スクリードプレート１４を加熱する。
【００１６】
前記送風ダクト１３の途中位置には、送風通路を閉じて燃焼器１１側とブロアーモータ１２側との通気を遮断可能なシャッター１５が設けられている。該シャッター１５はシャッター用モータ１６にて開閉駆動される。
【００１７】
スクリードプレート１４は、スクリード装置の構成部品の一つで、アスファルト加熱混合物等を敷き均して舗装面を平滑に仕上げるものである。
【００１８】
図３は、このスクリード加熱装置１０の電気系統図である。同図において、コントローラ２０は、スクリード加熱装置１０の全体を制御するもので、マイクロコンピュータで構成されている。このコントローラ２０には、燃焼器１１の点火・消火の指示を外部から与える燃焼器点火スイッチ２１の他に、上記燃焼器１１、上記ブロアーモータ１２、上記シャッター用モータ１６がそれぞれ接続されている。
【００１９】
次に、このスクリード加熱装置１０の作用を説明する。図３に示すように、燃焼器点火スイッチ２１がオフされて、燃焼器１１が燃焼していないときは、図１に示すように、シャッター１５が閉位置に配置されている。該シャッター１５が閉位置にあるため、送風ダクト１３の通路が閉じられて、燃焼器１１側とブロアーモータ１２側との通気を遮断している。
【００２０】
一方、燃焼器点火スイッチ２１をオン位置に切り換えると、図２に示すように、前記コントローラ２０は、燃焼器１１に着火信号を送ってガスＧを燃焼させ、燃焼器１１による燃焼を開始する。また、ブロアーモータ１２を駆動して送風を開始するとともに、シャッター用モータ１６を正方向に回転駆動させる。このシャッター用モータ１６の回転駆動により、シャッター１５が閉位置から開位置に切り換えられて送風ダクト１３のダクト内通路が開かれる。これにより、ブロアーモータ１２で起こされた風が送風ダクト１３内を通って燃焼器１１へ送られ、燃焼器１１内で発生した熱気が熱風となってスクリードプレート１４側に送られ、スクリードプレート１４が加熱される。
【００２１】
ここで、燃焼器点火スイッチ２１をオン位置からオフ位置へ切り換えると、コントローラ２０は、燃焼器１１に消火信号を送り、燃焼器１１による燃焼を停止する。また、ブロアーモータ１２の駆動を止めて送風を停止するとともに、前記シャッター用モータ１６を逆転駆動させてシャッター１５を開位置から閉位置に切り換える。これにより、送風ダクト１３のダクト内通路を閉じられて、ブロアーモータ１２と燃焼器１１との間の空気流通が遮断されるため、スクリードプレート１４側の熱気が逆流してブロアーモータ１２に入って来るのを防止できる。
【００２２】
以上説明したように、本実施の形態によるスクリード加熱装置１０の構造によれば、燃焼器１１が消火されると、ブロアーモータ１２と燃焼器１１との間に設けられている送風ダクト１３内のシャッター１５がダクト内通路を閉じるので、消火後、直ぐにブロアーモータ１２による送風を停止しても、スクリードプレート１４側の熱気がブロアーモータ１２内に進入するのを防ぐことができる。これにより、ブロアーモータ１２の破損及び寿命の低下を防止することができる。また、消火後は送風を止めるので、スクリードプレート１４の温度低下を防止することができ、熱効率の改善が図れる。さらに、シャッター１５の開閉が燃焼器１１の点火・消火を指示する燃焼器点火スイッチ２１に連動するので、切り換え操作も自動で簡単に行える。
【００２３】
尚、本実施の形態では、コントローラ２０によって燃焼器１１、ブロアーモータ１２、シャッター用モータ１６の制御を行っているが、コントローラ２０を設けずに、燃焼器点火スイッチ２１のオンオフ操作にて、直接燃焼器１１、ブロアーモータ１２、シャッター用モータ１６を制御することも可能である。然るときは、より安価にスクリード加熱装置を形成することができる。
【００２４】
而して、本発明は、本発明の精神を逸脱しない限り種々の改変を為すことができ、そして、本発明が該改変されたものに及ぶことは当然である。
【図面の簡単な説明】
【００２５】
【図１】本発明の一実施の形態によるスクリード加熱装置の概略構成を消火時における状態で示す図。
【図２】本発明の一実施の形態によるスクリード加熱装置の概略構成を燃焼時における状態で示す図。
【図３】本実施の形態におけるスクリード加熱装置の電気系統図。
【符号の説明】
【００２６】
１０  スクリード加熱装置
１１  燃焼器
１２  ブロアーモータ
１３  送風ダクト
１４  スクリードプレート
１５  シャッター
１６  シャッター用モータ
２０  コントローラ
２１  燃焼器点火スイッチ
【図１】
2006183301.tif 000003
【図２】
2006183301.tif 000004
【図３】
2006183301.tif 000005